【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
アノード線と、カソード線と、信号線と、走査線と、画素と、アナログスイッチと、逆電圧印加用トランジスタと、を有し、
前記画素は、
ゲート電極が前記走査線に接続され、第１の電極が前記信号線に接続される第１のトランジスタと、
ゲート電極が前記第１のトランジスタの第２の電極に接続され、第１の電極が前記アノード線に接続される第２のトランジスタと、
第１の電極が前記第２のトランジスタの第２の電極に接続される第３のトランジスタと、
第１の電極が前記第３のトランジスタの第２の電極に接続され、第２の電極が前記カソード線に接続される発光素子と、を有し、
前記アナログスイッチは、
ゲート電極が前記アノード線に接続される第４のトランジスタと、
ゲート電極が前記カソード線又は電源線に接続される第５のトランジスタと、を有し、
前記第４のトランジスタの第１の電極と前記第５のトランジスタの第１の電極とは接続されて前記アナログスイッチの入力となり、
前記第４のトランジスタの第２の電極と前記第５のトランジスタの第２の電極とは接続されて前記アナログスイッチの出力となり、
前記逆電圧印加用トランジスタのゲート電極は前記カソード線又は電源線に接続され、第１の電極は前記アノード線に接続され、第２の電極は前記アナログスイッチの出力と前記走査線に接続されることを特徴とする表示装置。
【請求項２】
アノード線と、カソード線と、信号線と、走査線と、画素と、クロックドインバータと、逆電圧印加用トランジスタと、を有し、
前記画素は、
ゲート電極が前記走査線に接続され、第１の電極が前記信号線に接続される第１のトランジスタと、
ゲート電極が前記第１のトランジスタの第２の電極に接続され、第１の電極が前記アノード線に接続される第２のトランジスタと、
第１の電極が前記第２のトランジスタの第２の電極に接続される第３のトランジスタと、
第１の電極が前記第３のトランジスタの第２の電極に接続され、第２の電極が前記カソード線に接続される発光素子と、を有し、
前記クロックドインバータは、
第１の電極が高電位電源線に接続される第４のトランジスタと、
ゲート電極が前記アノード線又は電源線に接続され、第１の電極が低電位電源線に接続される第５のトランジスタと、
第１の電極が前記第５のトランジスタの第２の電極に接続される第６のトランジスタと、を有し、
前記第４のトランジスタのゲート電極と前記第６のトランジスタのゲート電極とは接続されて前記クロックドインバータの入力となり、
前記第４のトランジスタの第２の電極と前記第６のトランジスタの第２の電極とは接続されて前記クロックドインバータの出力となり、
前記逆電圧印加用トランジスタのゲート電極は前記カソード線又は電源線に接続され、第１の電極は前記アノード線に接続され、第２の電極は前記クロックドインバータの出力と前記走査線に接続されることを特徴とする表示装置。
【請求項３】
アノード線と、カソード線と、信号線と、走査線と、画素と、アナログスイッチと、逆電圧印加用トランジスタと、制御用回路と、を有し、
前記画素は、
ゲート電極が前記走査線に接続され、第１の電極が前記信号線に接続される第１のトランジスタと、
ゲート電極が前記第１のトランジスタの第２の電極に接続され、第１の電極が前記アノード線に接続される第２のトランジスタと、
ゲート電極が第１の電源線に接続され、第１の電極が前記第２のトランジスタの第２の電極に接続される第３のトランジスタと、
第１の電極が前記第３のトランジスタの第２の電極に接続され、第２の電極が前記カソード線に接続される発光素子と、を有し、
前記アナログスイッチは、
ゲート電極が前記アノード線に接続される第４のトランジスタと、
ゲート電極が前記カソード線又は第２の電源線に接続される第５のトランジスタと、を有し、
前記第４のトランジスタの第１の電極と前記第５のトランジスタの第１の電極とは接続されて前記アナログスイッチの入力となり、
前記第４のトランジスタの第２の電極と前記第５のトランジスタの第２の電極とは接続されて前記アナログスイッチの出力となり、
前記逆電圧印加用トランジスタのゲート電極は前記カソード線又は第３の電源線に接続され、第１の電極は前記アノード線に接続され、第２の電極は前記アナログスイッチの出力と前記走査線に接続され、
前記制御用回路は、
ゲート電極が前記アノード線に接続され、第１の電極が前記第１の電源線に接続される第６のトランジスタと、
第１の電極が前記アノード線に接続され、第２の電極が前記第１の電源線に接続される第７のトランジスタと、を有することを特徴とする表示装置。
【請求項４】
アノード線と、カソード線と、信号線と、走査線と、画素と、クロックドインバータと、逆電圧印加用トランジスタと、制御用回路と、を有し、
前記画素は、
ゲート電極が前記走査線に接続され、第１の電極が前記信号線に接続される第１のトランジスタと、
ゲート電極が前記第１のトランジスタの第２の電極に接続され、第１の電極が前記アノード線に接続される第２のトランジスタと、
ゲート電極が第１の電源線に接続され、第１の電極が前記第２のトランジスタの第２の電極に接続される第３のトランジスタと、
第１の電極が前記第３のトランジスタの第２の電極に接続され、第２の電極が前記カソード線に接続される発光素子と、を有し、
前記クロックドインバータは、
第１の電極が高電位電源線に接続される第４のトランジスタと、
ゲート電極が前記アノード線又は第２の電源線に接続され、第１の電極が低電位電源線に接続される第５のトランジスタと、
第１の電極が前記第５のトランジスタの第２の電極に接続される第６のトランジスタと、を有し、
前記第４のトランジスタのゲート電極と前記第６のトランジスタのゲート電極とは接続されて前記クロックドインバータの入力となり、
前記第４のトランジスタの第２の電極と前記第６のトランジスタの第２の電極とは接続されて前記クロックドインバータの出力となり、
前記逆電圧印加用トランジスタのゲート電極は前記カソード線又は第３の電源線に接続され、第１の電極は前記アノード線に接続され、第２の電極は前記クロックドインバータの出力と前記走査線に接続され、
前記制御用回路は、
ゲート電極が前記アノード線に接続され、第１の電極が前記第１の電源線に接続される第７のトランジスタと、
第１の電極が前記アノード線に接続され、第２の電極が前記第１の電源線に接続される第８のトランジスタと、を有することを特徴とする表示装置。
【請求項５】
請求項３において、前記第２の電源線と前記第３の電源線は同じ電位に保たれていることを特徴とする表示装置。
【請求項６】
請求項１、３及び５のいずれか一において、
前記アノード線と前記カソード線の電位が反転されて前記発光素子へ逆電圧が印加され、同時に前記アナログスイッチがオフとされ、前記逆電圧印加用トランジスタがオンとされることを特徴とする表示装置。
【請求項７】
請求項１、３、５及び６のいずれか一において、前記第４のトランジスタと前記第５のトランジスタの極性は異なることを特徴とする表示装置。
【請求項８】
請求項１又は２において、前記第３のトランジスタのゲート電極は一定の電位に保たれていることを特徴とする表示装置。
【請求項９】
請求項２又は４において、前記アノード線と前記カソード線の電位が反転されて前記発光素子へ逆電圧が印加され、同時に前記クロックドインバータがハイインピーダンス状態とされ、前記逆電圧印加用トランジスタがオンとされることを特徴とする表示装置。
【請求項１０】
請求項１乃至９のいずれか一において、前記第１のトランジスタは線形領域で動作させることを特徴とする表示装置。
【請求項１１】
請求項１乃至１０のいずれか一において、前記第２のトランジスタは線形領域で動作させることを特徴とする表示装置。
【請求項１２】
請求項１乃至１１のいずれか一において、前記第３のトランジスタは線形領域又は飽和領域で動作させることを特徴とする表示装置。
【請求項１３】
請求項１乃至１２のいずれか一において、前記画素は、
前記第２のトランジスタのゲート電極に接続される容量素子と、
前記容量素子と並列に接続される消去用トランジスタと、を有することを特徴とする表示装置。
【請求項１４】
請求項１３において、前記消去用トランジスタは線形領域で動作させることを特徴とする表示装置。
【請求項１５】
アノード線と、カソード線と、信号線と、走査線と、画素と、アナログスイッチと、を有し、
前記画素は、
ゲート電極が前記走査線に接続され、第１の電極が前記信号線に接続される第１のトランジスタと、
ゲート電極が前記第１のトランジスタの第２の電極に接続され、第１の電極が前記アノード線に接続される第２のトランジスタと、
第１の電極が前記第２のトランジスタの第２の電極に接続される第３のトランジスタと、
第１の電極が前記第３のトランジスタの第２の電極に接続され、第２の電極が前記カソード線に接続される発光素子と、を有し、
前記アナログスイッチは、
ゲート電極が前記アノード線に接続される第４のトランジスタと、
ゲート電極が前記カソード線又は電源線に接続される第５のトランジスタと、を有し、
前記第４のトランジスタの第１の電極と前記第５のトランジスタの第１の電極とは接続されて前記アナログスイッチの入力となり、
前記第４のトランジスタの第２の電極と前記第５のトランジスタの第２の電極とは接続されて前記アナログスイッチの出力となり、
前記アナログスイッチの出力が前記信号線に接続されることを特徴とする表示装置。
【請求項１６】
請求項１５において、
前記アノード線と前記カソード線の電位が反転されて前記発光素子へ逆電圧が印加され、
前記アノード線の電位が戻された後に前記カソード線の電位が戻されることを特徴とする表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】００３１
【補正方法】変更
【補正の内容】
【００３１】
以上のような状態のとき、駆動用トランジスタ５３はオンとなり、カソード線６９が−１０Ｖ、アノード線１８が５Ｖであるため、発光素子へは順電圧が印加され、発光する。
【手続補正４】
【補正対象書類名】明細書
【補正対象項目名】００３３
【補正方法】変更
【補正の内容】
【００３３】
このときカソード線６９の電圧を５Ｖとし、逆電圧を印加する。そして、駆動用トランジスタ５３と、電流制御用トランジスタ５４とをオンとし、逆電圧を効率よく印加する。特に、駆動用トランジスタ５３は、飽和領域で動作させるため、Ｌ／Ｗが大きくなるように設計されている場合、抵抗値が高いことが懸念される。そのため、制御用回路１１８では、第１のｎチャネル型トランジスタ６１をオンとし、第２のｎチャネル型トランジスタ６２をオフとし、駆動用トランジスタ５３のゲート電極に接続される第２の電源線６０の電圧を−１０Ｖとする。その結果、駆動用トランジスタ５３のゲート電極へ印加されるゲート電圧を大きくできより効率高く逆電圧を印加することができる。その結果、駆動用トランジスタ５３の抵抗による逆電圧印加時の問題を低減することができる。
【手続補正５】
【補正対象書類名】明細書
【補正対象項目名】００３５
【補正方法】変更
【補正の内容】
【００３５】
以上のような状態のとき、駆動用トランジスタ５３、電流制御用トランジスタ５４はオンとなり、カソード線６９が５Ｖ、アノード線１８が−１０Ｖであるため、発光素子へは逆電圧が印加される。
【手続補正６】
【補正対象書類名】明細書
【補正対象項目名】００９４
【補正方法】変更
【補正の内容】
【００９４】
本実施の形態では、スイッチング用トランジスタ３５、消去用トランジスタ４０をｎチャネル型トランジスタとし、駆動用トランジスタ３６、電流制御用トランジスタ３７をｐチャネル型トランジスタとする。また駆動用トランジスタ３６を飽和領域で、電流制御用トランジスタ３７を線形領域で動作させる。そのため、駆動用トランジスタ３６のチャネル形成領域のＬをＷより長くし、好ましくは、駆動用トランジスタ３６のＷに対するＬの比が５以上にするとよい。また各トランジスタの特性はエンハンスメント型トランジスタを用いてもよいし、ディプリーション型トランジスタを用いてもよい。
【手続補正７】
【補正対象書類名】明細書
【補正対象項目名】００９５
【補正方法】変更
【補正の内容】
【００９５】
なお駆動用トランジスタ３６は、線形領域で動作させてもよい。駆動用トランジスタ３６を線形領域で動作させる場合、駆動電圧を低くすることができる。そのため、表示装置の低消費電力化が期待できる。
【手続補正８】
【補正対象書類名】明細書
【補正対象項目名】０１２８
【補正方法】変更
【補正の内容】
【０１２８】
なお駆動用トランジスタ８０７は、線形領域で動作させてもよい。駆動用トランジスタ８０７を線形領域で動作させる場合、駆動電圧を低くすることができる。そのため、表示装置の低消費電力化が期待できる。
【手続補正９】
【補正対象書類名】明細書
【補正対象項目名】０１６５
【補正方法】変更
【補正の内容】
【０１６５】
図１４（Ｂ）には、第２の制御用回路１４２の具体的な構成を示す。第２の制御用回路１４２は、一つのインバータ回路１４８、リセット線毎に設けられたｐチャネル型のトランジスタ１４７、及びクロックドインバータ１４９を有する。トランジスタ１４７の第１の電極はリセット線５９に接続され、ゲート電極は第３の電源線１６０に接続され、第２の電極は７Ｖに保持されている。インバータ回路１４８は、第３の電源線１６０、及び第４の電源線１６１に接続されている。クロックドインバータ１４９は、第１の端子と第３の電源線１６０が接続され、第２の端子と第４の電源線１６１が接続され、入力配線とリセット線５９が接続され、出力配線とレベルシフタ１４３が接続されている。